(57)【要約】【課題】軒樋をその長手方向でスムーズに移動させることができ、特に、波型スレート屋根用のものにあっては、保持具に対して帯状金属板の本体部が回転し難く、蝶ナットの締付が緩みにくい軒樋支持金具を提供する。【解決手段】本体部１の両端に軒樋２を保持する樋耳保持部３がある帯状金属板４と、同本体部１の中程で立設固定され、折板屋根５に取付けられる吊ボルト６とを備える軒樋支持金具において、前記樋耳保持部３の少なくとも一方は、フック状に構成されており、前記帯状金属板４の断面は略コ字形状とし、前記本体部１および前記樋耳保持部３の上側水平部３ａにおいて、断面略コ字形状の開口部を内側に向け、上側水平部３ａの末端にて断面略コ字形状の開口部の向きを変えることにより、前記樋耳保持部３の垂直部３ｂと下側水平部３ｃにおいて、断面略コ字形状の開口部が外側に向けて形成されるようになした。【選択図】図１
2009097293.tif 000002
【特許請求の範囲】
【請求項１】
本体部の両端に軒樋を保持する樋耳保持部がある帯状金属板と、同帯状金属板に固定され、建造物に取付けられる取着体とを備える軒樋支持金具において、前記樋耳保持部の少なくとも一方は、前記本体部の一端から延出形成される上側水平部と、該上側水平部の末端から下方に向けて延出形成される垂直部と、該垂直部の下端から前記本体部の中程側に向けて延出形成される下側水平部とからなって、軒樋の耳部を外側から覆うように構成されており、前記帯状金属板の断面は略コ字形状とし、前記本体部および前記樋耳保持部の前記上側水平部において、断面略コ字形状の開口部を内側に向け、前記上側水平部の末端にて断面略コ字形状の開口部の向きを変えることにより、前記樋耳保持部の前記垂直部と前記下側水平部において、断面略コ字形状の開口部が外側に向けて形成されることを特徴とする軒樋支持金具。
【請求項２】
本体部の両端に軒樋を保持する樋耳保持部がある帯状金属板と、同本体部の中程で立設固定され、折板屋根に取付けられる吊ボルトとを備える軒樋支持金具において、前記樋耳保持部の少なくとも一方は、前記本体部の一端から延出形成される上側水平部と、該上側水平部の末端から下方に向けて延出形成される垂直部と、該垂直部の下端から前記本体部の中程側に向けて延出形成される下側水平部とからなって、軒樋の耳部を外側から覆うように構成されており、前記帯状金属板の断面は略コ字形状とし、前記本体部および前記樋耳保持部の前記上側水平部において、断面略コ字形状の開口部を内側に向け、前記上側水平部の末端にて断面略コ字形状の開口部の向きを変えることにより、前記樋耳保持部の前記垂直部と前記下側水平部において、断面略コ字形状の開口部が外側に向けて形成されることを特徴とする軒樋支持金具。
【請求項３】
本体部の前後両端に軒樋を保持する前側樋耳保持部と後側樋耳保持部がある帯状金属板と、該後側樋耳保持部で固定され、波型スレート屋根に取付けられる保持具とを備える軒樋支持金具において、前記後側樋耳保持部は、前記本体部の後端から延出形成される上側水平部と、該上側水平部の末端から下方に向けて延出形成される垂直部と、該垂直部の下端から前記本体部の中程側に向けて延出形成される下側水平部とからなって、軒樋の耳部を外側から覆うように構成されており、前記帯状金属板の断面は略コ字形状とし、前記本体部および前記後側樋耳保持部の前記上側水平部において、断面略コ字形状の開口部を内側に向け、前記上側水平部の末端にて断面略コ字形状の開口部の向きを変えることにより、前記後側樋耳保持部の前記垂直部と前記下側水平部において、断面略コ字形状の開口部が外側に向けて形成され、前記保持具は前記後側樋耳保持部の前記垂直部にて外側へ向いた断面略コ字形状の開口部と上下スライド自在に嵌合し、任意の高さで固定されることを特徴とする軒樋支持金具。
【発明の詳細な説明】
【技術分野】
【０００１】
本願発明は、建造物に取付けられる軒樋支持金具であり、例えば、折板屋根や波型スレート屋根に取付けられる軒樋支持金具に関するものである。
【背景技術】
【０００２】
従来から、特開２００７−２２４６１１号公報に示されるように、折板屋根に吊ボルトを介して取付けられる軒樋支持金具が知られている。この軒樋支持金具は、図８に示すように、本体部１の前後両端に軒樋２を保持する前側樋耳保持部３ｄと後側樋耳保持部３ｅがある帯状金属板４と、上端部６ａが折板屋根５の山部５ａに、下端部６ｂが帯状金属板４と一対のナット１２にて固定される吊ボルト６とを備えている。軒樋２は前側耳部７ａと後側耳部７ｂとがそれぞれ帯状金属板４の前側樋耳保持部３ｄと後側樋耳保持部３ｅに挿入係止される。この場合、帯状金属板４の前側樋耳保持部３ｄが後側樋耳保持部３ｅより高くなっており、折板屋根５の谷部の前方に軒樋２が位置するので、折板屋根５から落下した雨水は飛び散らずに折板屋根５の谷部の先端から軒樋２の中に流出する。
【０００３】
一方、波型スレート屋根に保持具を介して取付けられる軒樋支持金具が知られている。この軒樋支持金具は、図１０、図１１に示すように、本体部１の後端に軒樋を保持する後側樋耳保持部９がある帯状金属板４と、傾斜部１１ａと垂直部１１ｂとからなる保持具１１とを備えている。また、後側樋耳保持部９は帯状金属板４の本体部１の後端から延出形成される上側水平部９ａと、該上側水平部９ａの末端から下方に向けて延出形成される垂直部９ｂと、該垂直部９ｂの下端から帯状金属板４の本体部１の中程側に向けて延出形成される下側水平部９ｃとからなり、前記垂直部９ｂと保持具１１は穴部１１ｃを介して蝶ナット１６にて任意の高さで係止され、該穴部１１ｃに嵌合するよう回り止め突起１７が前記垂直部９ｂに配設されている。
【特許文献１】特開２００７−２２４６１１号公報
【発明の開示】
【発明が解決しようとする課題】
【０００４】
しかしながら、上記従来例である折板屋根５に取付けられる前者の軒樋支持金具にあっては、軒樋２を吊下げ保持させて施工するに際して、軒樋２を接続する作業等のために同軒樋２をその長手方向で前記帯状金属板４に対して移動させる必要があり、図９に示すように、前記帯状金属板４の後側樋耳保持部３ｅにおいては、補強のために設けられたリブにより断面略コ字形状となっている開口部が上側水平部３ａ、垂直部３ｂ、下側水平部３ｃのいずれにおいても内側を向いているので、前記軒樋２の後側耳部７ｂが前記帯状金属板４の後側樋耳保持部３ｅの断面端部エッジ３ｆに引っ掛かってスムーズに移動させ難いものである。
【０００５】
また、波型スレート屋根に取付けられる後者の軒樋支持金具にあっては、これに加えて、後側樋耳保持部９の垂直部９ｂを介して蝶ナット１６にて保持具１１に固定するに際して、図１０、図１１に示すように、回り止め突起１７を設けない限り、前記帯状金属板４の本体部１が前記保持具１１に対して回転し、蝶ナット１６の締付が緩み易くなる。
【０００６】
本願発明は、上記背景技術に鑑みてなしたものであり、その目的は、軒樋をその長手方向でスムーズに移動させることができ、特に、波型スレート屋根用のものにあっては、保持具に対して帯状金属板の本体部が回転し難く、蝶ナットの締付が緩みにくい軒樋支持金具を提供することである。
【課題を解決するための手段】
【０００７】
上記課題を解決するために、本願請求項１記載の発明は、本体部の両端に軒樋を保持する樋耳保持部がある帯状金属板と、同帯状金属板に固定され、建造物に取付けられる取着体とを備える軒樋支持金具において、前記樋耳保持部の少なくとも一方（この実施形態では、後側樋耳保持部３ｅ）は、前記本体部の一端から延出形成される上側水平部と、該上側水平部の末端から下方に向けて延出形成される垂直部と、該垂直部の下端から前記本体部の中程側に向けて延出形成される下側水平部とからなって、軒樋の耳部を外側から覆うように構成されており、前記帯状金属板の断面は略コ字形状とし、前記本体部および前記樋耳保持部の前記上側水平部において、断面略コ字形状の開口部を内側に向け、前記上側水平部の末端にて断面略コ字形状の開口部の向きを変えることにより、前記樋耳保持部の前記垂直部と前記下側水平部において、断面略コ字形状の開口部が外側に向けて形成されることを特徴としている。
【０００８】
本願請求項２記載の発明は、本体部の両端に軒樋を保持する樋耳保持部がある帯状金属板と、同本体部の中程で立設固定され、折板屋根に取付けられる吊ボルトとを備える軒樋支持金具において、前記樋耳保持部の少なくとも一方は、前記本体部の一端から延出形成される上側水平部と、該上側水平部の末端から下方に向けて延出形成される垂直部と、該垂直部の下端から前記本体部の中程側に向けて延出形成される下側水平部とからなって、軒樋の耳部を外側から覆うように構成されており、前記帯状金属板の断面は略コ字形状とし、前記本体部および前記樋耳保持部の前記上側水平部において、断面略コ字形状の開口部を内側に向け、前記上側水平部の末端にて断面略コ字形状の開口部の向きを変えることにより、前記樋耳保持部の前記垂直部と前記下側水平部において、断面略コ字形状の開口部が外側に向けて形成されることを特徴としている。
【０００９】
本願請求項３記載の発明は、本体部の前後両端に軒樋を保持する前側樋耳保持部と後側樋耳保持部がある帯状金属板と、該後側樋耳保持部で固定され、波型スレート屋根に取付けられる保持具とを備える軒樋支持金具において、前記後側樋耳保持部は、前記本体部の後端から延出形成される上側水平部と、該上側水平部の末端から下方に向けて延出形成される垂直部と、該垂直部の下端から前記本体部の中程側に向けて延出形成される下側水平部とからなって、軒樋の耳部を外側から覆うように構成されており、前記帯状金属板の断面は略コ字形状とし、前記本体部および前記後側樋耳保持部の前記上側水平部において、断面略コ字形状の開口部を内側に向け、前記上側水平部の末端にて断面略コ字形状の開口部の向きを変えることにより、前記後側樋耳保持部の前記垂直部と前記下側水平部において、断面略コ字形状の開口部が外側に向けて形成され、前記保持具は前記後側樋耳保持部の前記垂直部にて外側へ向いた断面略コ字形状の開口部と上下スライド自在に嵌合し、任意の高さで固定されることを特徴としている。
【発明の効果】
【００１０】
本願請求項１記載の発明の軒樋支持金具においては、帯状金属板を補強するために設けられたリブにより断面略コ字形状となっている開口部が帯状金属板の本体部および樋耳保持部の上側水平部において、内側に向けて形成されているので、雨水やごみが帯状金属板の本体部に溜まりにくい。また、樋耳保持部の垂直部と下側水平部において、断面略コ字形状の開口部が外側に向けて形成されているので、軒樋の耳部が樋耳保持部に引っ掛かることなく滑らかに摺接し、軒樋をその長手方向でスムーズに移動させることができて施工し易くなる。
【００１１】
本願請求項２記載の発明の軒樋支持金具においては、折板屋根に取付けられて、上記の効果を奏する。
【００１２】
本願請求項３記載の発明の軒樋支持金具においては、波型スレート屋根に取付けられて、上記の効果を奏するうえ、波型スレート屋根用の保持具は帯状金属板の後側樋耳保持部の垂直部にて外側へ向いた断面略コ字形状の開口部と上下スライド自在に嵌合してガイドされ、これにより任意の高さで固定されるため、波型スレート屋根用の保持具に対して帯状金属板の本体部が回転し難く、蝶ナットの締付が緩みにくいものとなる。
【発明を実施するための最良の形態】
【００１３】
図１乃至３は、本願発明の第１の実施形態である軒樋支持金具を示している。この実施形態の軒樋支持金具では、本体部１の両端に軒樋２を保持する樋耳保持部３がある帯状金属板４と、同本体部１の中程で立設固定され、折板屋根５に取付けられる吊ボルト６とを備える軒樋支持金具において、前記樋耳保持部３の少なくとも一方は、前記本体部１の一端から延出形成される上側水平部３ａと、該上側水平部３ａの末端から下方に向けて延出形成される垂直部３ｂと、該垂直部３ｂの下端から前記本体部１の中程側に向けて延出形成される下側水平部３ｃとからなって、軒樋２の耳部７を外側から覆うように構成されており、前記帯状金属板４の断面は略コ字形状とし、前記本体部１および前記樋耳保持部３の前記上側水平部３ａにおいて、断面略コ字形状の開口部を内側に向け、前記上側水平部３ａの末端にて断面略コ字形状の開口部の向きを変えることにより、前記樋耳保持部３の前記垂直部３ｂと前記下側水平部３ｃにおいて、断面略コ字形状の開口部が外側に向けて形成されている。これは、建造物が折板屋根５、取着体が吊ボルト６の場合である。
【００１４】
以下、この実施形態の軒樋支持金具を、より具体的詳細に説明する。図１に示すように、軒樋支持金具は、本体部１の前後両端に軒樋を保持する前側樋耳保持部３ｄと後側樋耳保持部３ｅがある帯状金属板４と、同本体部１の中程で立設固定され、折板屋根５に取付けられる吊ボルト６とを備えている。軒樋２は前側を高くした断面凹形状で、上端部に凹状の前側耳部７ａと凸状の後側耳部７ｂとを備え、合成樹脂や合成樹脂で金属薄板を被膜した複合材等で形成されている。帯状金属板４は、本体部１の中央が略水平で前端が後端より高くなるよう前後両端にかけて隆起し、前端部に鍵状の前側樋耳保持部３ｄと後端部にフック状の後側樋耳保持部３ｅとを備え、帯状金属板材を折曲加工して形成されている。そして、軒樋２は前側耳部７ａと後側耳部７ｂとがそれぞれ帯状金属板４の前側樋耳保持部３ｄと後側樋耳保持部３ｅに保持される。
【００１５】
吊ボルト６は図２に示すように、帯状金属板４の前側樋耳保持部３ｄが折板屋根５の先端より前方に位置するように、上端部６ａにて折板屋根５の山部５ａに設けられた貫通孔５ｄと、下端部６ｂにて帯状金属板４の中央に設けられた貫通孔４ａと、一対のナット１２でそれぞれ固定されている。この軒樋支持金具は折板屋根５の山部５ａの先端に沿って、複数が直線的に配置され、吊ボルト６の固定位置を上端部６ａにて調整することにより、軒樋２に水勾配が付けられる。ここで、折板屋根５の山部５ａの上側には貫通孔５ｄからの雨水の漏れを防止するとともに、振動を吸収するためのパッキン１３が挿入されている。
【００１６】
なお、吊ボルト６は帯状金属板４の中程で立設するよう、帯状金属板４と一体成形してもよい。
【００１７】
この場合、帯状金属板４の前側樋耳保持部３ｄが後側樋耳保持部３ｅより高くなっており、折板屋根５の谷部５ｂの前方に軒樋２が位置するので、折板屋根５から落下した雨水は飛び散らずに折板屋根５の谷部５ｂの先端から軒樋２の中に流出する。
【００１８】
次に、軒樋支持金具が軒樋２を保持する構成について詳細に説明する。図３に示すように、後側樋耳保持部３ｅは、本体部１の後端から延出形成される上側水平部３ａと、上側水平部３ａの末端から下方に向けて延出形成される垂直部３ｂと、垂直部３ｂの下端から本体部１の中程側に向けて延出形成される下側水平部３ｃとからなって、軒樋２の後側耳部７ｂを外側から覆うように構成されている。
【００１９】
また、帯状金属板４は補強のために長手方向に沿って両側にリブを設け、その断面を略コ字形状とし、本体部１および後側樋耳保持部３ｅの上側水平部３ａにおいて、断面略コ字形状の開口部を内側に向け、上側水平部３ａの末端にて断面略コ字形状の開口部の向きを変えることにより、後側樋耳保持部３ｅの垂直部３ｂと下側水平部３ｃにおいて、断面略コ字形状の開口部が外側に向けて形成されている。
【００２０】
ここで、軒樋２の後側耳部７ｂは後側樋耳保持部３ｅのガイド１４とバネ片１５の間に差し込まれ、軒樋２の後側耳部７ｂを軸に前側方向に回動させることにより、前側耳部７ａは前側樋耳保持部３ｄに差し込まれ、軒樋２は帯状金属板４に取り付けられる。この際、バネ片１５は軒樋２の脱落防止片として機能する。
【００２１】
したがって、帯状金属板４を補強するために設けられたリブにより断面略コ字形状となっている開口部が帯状金属板４の本体部１および後側樋耳保持部３ｅの上側水平部３ａにおいて、内側に向けて形成されているので、雨水やごみが帯状金属板４の本体部１に溜まりにくい。また、軒樋２の後側耳部７ｂは後側樋耳保持部３ｅの垂直部３ｂおよび下側水平部３ｃと接触するが、後側樋耳保持部３ｅの垂直部３ｂと下側水平部３ｃでは、断面略コ字形状の開口部が外側に向けて形成されているので、軒樋２の後側耳部７ｂが後側樋耳保持部３ｅに引っ掛かることなく滑らかに摺接し、軒樋２をその長手方向でスムーズに移動させることができて施工し易くなる。さらに、軒樋２の前側耳部７ａと帯状金属板４の前側樋耳保持部３ｄを軒樋２の内側にて嵌合させることにより、軒樋２の前側に軒樋支持金具が露出しないようにして施工仕上がり外観を向上させることができる。
【００２２】
図４は、本願発明の第２の実施形態である軒樋支持金具を示している。ここでは、上記第１の実施形態と相違する事項についてのみ説明し、その他の事項（構成、作用効果等）については、上記第１の実施形態と同様であるのでその説明を省略する。図４に示すように、軒樋支持金具は、本体部１の前後両端に軒樋２を保持する前側樋耳保持部３ｄと後側樋耳保持部３ｅがある帯状金属板４と、同本体部１の中程で立設固定され、折板屋根５に取付けられる吊ボルト６とを備えている。軒樋２は前後同じ高さの断面凹形状で、上端部に凸状の前側耳部７ａと後側耳部７ｂとを備え、合成樹脂や合成樹脂で金属薄板を被膜した複合材等で形成されている。帯状金属板４は、本体部１の中央が略水平で両端にかけて隆起し、両端部に同じ高さでフック状の前側樋耳保持部３ｄと後側樋耳保持部３ｅとを備え、帯状金属板材を折曲加工して形成されている。そして、軒樋２は前側耳部７ａと後側耳部７ｂとがそれぞれ帯状金属板４の前側樋耳保持部３ｄと後側樋耳保持部３ｅに保持される。
【００２３】
吊ボルト６は図４に示すように、帯状金属板４の前側樋耳保持部３ｄが折板屋根５の先端より屋内側に入り込むように、上端部６ａにて折板屋根５の山部５ａに設けられた貫通孔５ｄと、下端部６ｂにて帯状金属板４の中央に設けられた貫通孔４ａと、一対のナット１２でそれぞれ固定されている。さらに、折板屋根５の谷部５ｂには、吊ボルト６が取付けられる山部５ａの貫通孔５ｄと前後方向で位置を合わせて、雨水貫通孔５ｃを設ける。この軒樋支持金具は折板屋根５の山部５ａの先端に沿って、複数が直線的に配置され、吊ボルト６の固定位置を上端部６ａにて調整することにより、軒樋２に水勾配が付けられる。ここで、折板屋根５の山部５ａの上側には貫通孔５ｄからの雨水の漏れを防止するとともに、振動を吸収するためのパッキン１３が挿入されている。
【００２４】
この場合、折板屋根５に降った雨水は谷部５ｂに設けられた雨水貫通孔５ｃから軒樋支持金具に取り付けられている軒樋２の中に流出する。
【００２５】
したがって、帯状金属板４を補強するために設けられたリブにより断面略コ字形状となっている開口部が帯状金属板４の本体部１および前側樋耳保持部３ｄ、後側樋耳保持部３ｅの上側水平部３ａにおいて、内側に向けて形成されているので、雨水やごみが帯状金属板４の本体部１に溜まりにくいうえ、前側樋耳保持部３ｄと後側樋耳保持部３ｅの垂直部３ｂと下側水平部３ｃのそれぞれにおいて、断面略コ字形状の開口部が外側に向けて形成されているので、軒樋２の前側耳部７ａと後側耳部７ｂが前側樋耳保持部３ｄと後側樋耳保持部３ｅに引っ掛かることなく滑らかに摺接し、軒樋２をその長手方向でよりスムーズに移動させることができて施工し易くなる。
【００２６】
図５乃至７は、本願発明の第３の実施形態である軒樋支持金具を示している。この軒樋支持金具は、図５に示すように、本体部１の前後両端に軒樋２を保持する前側樋耳保持部８と後側樋耳保持部９がある帯状金属板４と、該後側樋耳保持部９で固定され、波型スレート屋根１０に取付けられる保持具１１とを備える軒樋支持金具において、前記後側樋耳保持部９は、前記本体部１の後端から延出形成される上側水平部９ａと、該上側水平部９ａの末端から下方に向けて延出形成される垂直部９ｂと、該垂直部９ｂの下端から前記本体部１の中程側に向けて延出形成される下側水平部９ｃとからなって、軒樋２の耳部７を外側から覆うように構成されており、前記帯状金属板４の断面は略コ字形状とし、前記本体部１および前記後側樋耳保持部９の前記上側水平部９ａにおいて、断面略コ字形状の開口部を内側に向け、前記上側水平部９ａの末端にて断面略コ字形状の開口部の向きを変えることにより、前記後側樋耳保持部９の前記垂直部９ｂと前記下側水平部９ｃにおいて、断面略コ字形状の開口部が外側に向けて形成され、前記保持具１１は前記後側樋耳保持部９の前記垂直部９ｂにて外側へ向いた断面略コ字形状の開口部と上下スライド自在に嵌合し、任意の高さで固定されている。これは、建造物が波型スレート屋根１０、取着体が保持具１１の場合である。
【００２７】
図５に示すように、軒樋支持金具は、本体部１の前後両端に軒樋２を保持する前側樋耳保持部８と後側樋耳保持部９がある帯状金属板４と、該後側樋耳保持部９で固定され、波型スレート屋根１０に取付けられる保持具１１とを備えている。軒樋２は前側を高くした断面凹形状で、上端部に凹状の前側耳部７ａと凸状の後側耳部７ｂとを備え、合成樹脂や合成樹脂で金属薄板を被膜した複合材等で形成されている。帯状金属板４は、本体部１の中央が略水平で前端が後端より高くなるよう前後両端にかけて隆起し、前端部に鍵状の前側樋耳保持部８と後端部にフック状の後側樋耳保持部９とを備え、帯状金属板材を折曲加工して形成されている。そして、軒樋２は前側耳部７ａと後側耳部７ｂとがそれぞれ帯状金属板４の前側樋耳保持部８と後側樋耳保持部９に保持される。保持具１１は図５、図６に示すように、傾斜部１１ａと垂直部１１ｂとからなり、傾斜部１１ａにて波型スレート屋根１０の山部１０ａとボルトとナット１２で、垂直部１１ｂにて後側樋耳保持部９の垂直部９ｂと蝶ナット１６で固定されている。
【００２８】
次に、保持具１１と帯状金属板４の後側樋耳保持部９とを固定する構成について詳細に説明する。図６、図７に示すように、保持具１１の垂直部１１ｂには穴部１１ｃが形成され、保持具１１と帯状金属板４は、後側樋耳保持部９の垂直部９ｂにて外側へ向いた断面略コ字形状の開口部の中央に設けられた貫通孔９ｄを介して上下スライド自在に嵌合し、蝶ナット１６で任意の高さに固定されている。この軒樋支持金具は波型スレート屋根１０の山部１０ａの先端に沿って、複数が直線的に配置され、帯状金属板４の固定位置を保持具１１の垂直部１１ｂに設けられた穴部１１ｃにて調整することにより、軒樋２に水勾配が付けられる。
【００２９】
この場合、帯状金属板４の前側樋耳保持部８が後側樋耳保持部９より高くなっており、波型スレート屋根１０の谷部の前方に軒樋２が位置するので、波型スレート屋根１０から落下した雨水は飛び散らずに波型スレート屋根１０の谷部の先端から軒樋２の中に流出する。
【００３０】
さらに、軒樋支持金具が軒樋２を保持する構成について詳細に説明する。図６に示すように、後側樋耳保持部９は、本体部１の後端から延出形成される上側水平部９ａと、上側水平部９ａの末端から下方に向けて延出形成される垂直部９ｂと、垂直部９ｂの下端から本体部１の中程側に向けて延出形成される下側水平部９ｃとからなって、軒樋２の後側耳部７ｂを外側から覆うように構成されている。
【００３１】
また、帯状金属板４は補強のために長手方向に沿って両側にリブを設け、その断面を略コ字形状とし、本体部１および後側樋耳保持部９の上側水平部９ａにおいて、断面略コ字形状の開口部を内側に向け、上側水平部９ａの末端にて断面略コ字形状の開口部の向きを変えることにより、後側樋耳保持部９の垂直部９ｂと下側水平部９ｃにおいて、断面略コ字形状の開口部が外側に向けて形成されている。
【００３２】
ここで、軒樋２の後側耳部７ｂは後側樋耳保持部９のガイド１４とバネ片１５の間に差し込まれ、軒樋２の後側耳部７ｂを軸に前側方向に回動させることにより、前側耳部７ａは前側樋耳保持部８に差し込まれ、軒樋２は帯状金属板４に取り付けられる。この際、バネ片１５は軒樋２の脱落防止片として機能する。
【００３３】
したがって、波型スレート屋根１０用の保持具１１は帯状金属板４の後側樋耳保持部９の垂直部９ｂにて外側へ向いた断面略コ字形状の開口部と上下スライド自在に嵌合してガイドされ、これにより任意の高さで固定されるため、波型スレート屋根１０用の保持具１１に対して帯状金属板４の本体部１が回転し難く、蝶ナット１６の締付が緩みにくいものとなる。
【００３４】
なお、本願発明において、軒樋支持金具は、折板屋根や波型スレート屋根のような屋根材だけでなく、吊ボルトや保持具などの取着体を介して、建物の軒先前端面のような建造物に取付けられてもよい。また、軒樋支持金具は、折板屋根や波型スレート屋根用の大型軒樋だけでなく、住宅用の小型軒樋にも適用可能である。この際、大型軒樋は小型軒樋よりも大きく重たいことから、より有効となる。
【図面の簡単な説明】
【００３５】
【図１】本願発明の第１の実施形態である軒樋支持金具の折板屋根に取付けられた状態を示す断面図。
【図２】同軒樋支持金具の折板屋根に取付けられた状態を示す斜視図。
【図３】同軒樋支持金具の後側樋耳保持部を示す斜視図。
【図４】本願発明の第２の実施形態である軒樋支持金具の折板屋根に取付けられた状態を示す断面図。
【図５】本願発明の第３の実施形態である軒樋支持金具の波型スレート屋根に取付けられた状態を示す断面図。
【図６】同軒樋支持金具が波型スレート屋根の保持具に固定された状態を示す斜視図。
【図７】同軒樋支持金具の後側樋耳保持部の垂直部における横断面図。
【図８】従来例である軒樋支持金具の折板屋根に取付けられた状態を示す断面図。
【図９】同従来例である軒樋支持金具の後側樋耳保持部を示す斜視図。
【図１０】別の来例である軒樋支持金具が波型スレート屋根の保持具に固定された状態を示す斜視図。
【図１１】同従来例である軒樋支持金具の後側樋耳保持部の垂直部における横断面図。
【符号の説明】
【００３６】
１  本体部
２  軒樋
３  樋耳保持部
３ａ  上側水平部
３ｂ  垂直部
３ｃ  下側水平部
４  帯状金属板
５  折板屋根
６  吊ボルト
７  耳部
８  前側樋耳保持部
９  後側樋耳保持部
９ａ  上側水平部
９ｂ  垂直部
９ｃ  下側水平部
10  波型スレート屋根
11  保持具
【図１】
2009097293.tif 000003
【図２】
2009097293.tif 000004
【図３】
2009097293.tif 000005
【図４】
2009097293.tif 000006
【図５】
2009097293.tif 000007
【図６】
2009097293.tif 000008
【図７】
2009097293.tif 000009
【図８】
2009097293.tif 000010
【図９】
2009097293.tif 000011
【図１０】
2009097293.tif 000012
【図１１】
2009097293.tif 000013